【誤訳訂正書】
【提出日】平成23年6月14日(2011.6.14)
【誤訳訂正１】
【訂正対象書類名】特許請求の範囲
【訂正対象項目名】全文
【訂正方法】変更
【訂正の内容】
【特許請求の範囲】
【請求項１】
希釈鎖延長オルガノポリシロキサン含有ポリマーを製造する方法であって、
（ａ）シロキサンポリマー鎖、シロキサンコポリマー鎖、シロキサン／有機ブロックコポリマー鎖又はポリオキシアルキレンブロックを含む事前に形成したポリマーを、２５℃で１００〜１０００００ｍＰａ・ｓの粘度を有するトリアルキルシリル末端ポリジアルキルシロキサン（ここで、各アルキル基は同じでも異なっていてもよく、１〜６個の炭素原子を含む）、ポリイソブチレン（ＰＩＢ）、リン酸エステル、ポリアルキルベンゼン、線状アルキルベンゼン、分枝状アルキルベンゼン、脂肪族モノカルボン酸エステル、ジアルキルフタレート、アジピン酸エステル、アゼライン酸エステル、オレイン酸エステル、セバシン酸エステル、桐油、脂肪酸、脂肪酸エステル、ポリオール、ポリオール誘導体、有機リン酸塩、ヒマシ油、線状モノ不飽和炭化水素、分枝状モノ不飽和炭化水素及び鉱油留分からなる群の１つ又は複数から選択される希釈材料、適切な触媒及び任意で末端封鎖剤の存在下で該ポリマーの末端基と反応性である鎖延長剤と反応させる工程であって、該鎖延長剤が、
（ｉ）ジアセトアミドシラン、ジアセトキシシラン、ジクロロシラン、ジアミノシラン（各アミノ基は、１個の窒素につき１つ又は２つのＮ−Ｈ結合を有する）、ジアルコキシシラン、ジアミドシラン、ヘキサオルガノジシラザン、ジケトキシミノシラン、
（ｉｉ）２〜２５の重合度を有し、且つ１分子当たり少なくとも２つのアセトアミド、アセトキシ、アミノ、アルコキシ、アミド、又はケトキシモ置換基を有するポリジアルキルシロキサン、
（ｉｉｉ）α−アミノアルキルジアルコキシアルキルシラン（アルキル基及びアルコキシ基は１〜６個の炭素原子を有する）、
（ｉｖ）構造ＺＭｅ2ＳｉＯ（Ｍｅ2ＳｉＯ）yＳｉＭｅ2Ｚ又はＺＭｅ2Ｓｉ−Ｙ−ＳｉＭｅ2Ｚ（式中、Ｚは複素環式Ｓｉ−Ｎ基であり、Ｙは、−（ＣＲ2）m−又は−Ｃ6Ｈ4−から成る群より選択される二価の炭化水素ラジカルであり、ｙは０又は整数であり、ｍは２〜６（両端を含む）であり、またＲは一価の炭化水素基である）の化合物、
（ｖ）ジアルケニルシラン、ジヒドロシラン、
（ｖｉ）２〜２５の重合度、及び末端基１つにつき少なくとも１つのＳｉ−アルケニル結合を有するポリジアルキルシロキサン、
（ｖｉｉ）２〜２５の重合度、及び末端基１つにつき少なくとも１つのＳｉ−Ｈ結合を有するポリジアルキルシロキサン
の群から選択される、反応させる工程と、
（ｂ）必要であれば、該重合プロセスを失活させる工程と
を含み、該希釈材料が、得られる希釈オルガノポリシロキサン含有ポリマーのポリマーマトリックス中に含まれる、希釈鎖延長オルガノポリシロキサン含有ポリマーを製造する方法。
【請求項２】
前記事前に形成したポリマーが、一般式
Ｘ1−Ａ−Ｘ2
（式中、Ｘ1及びＸ2は独立して、−Ｓｉ（ＯＨ）3、−（Ｒa）Ｓｉ（ＯＨ）2、−（Ｒa）2ＳｉＯＨ、−ＲaＳｉ（ＯＲb）2、−Ｓｉ（ＯＲb）3、−Ｒa2ＳｉＯＲb又は−Ｒa2Ｓｉ−Ｒc−ＳｉＲdp（ＯＲｂ）3-p（式中、Ｒaはそれぞれ独立して、一価のヒドロカルビル基であり、Ｒbはそれぞれ独立してアルキル基であり、Ｒdはそれぞれ独立してアルコキシ基であり、Ｒcは、６個までのケイ素原子を有する１つ又は複数のシロキサンスペーサーが介在し得る二価の炭化水素基であり、ｐは０、１又は２の値を有する）から選択される、ヒドロキシル基又は加水分解性基を含むシリル基から選択され、Ａはシロキサン含有ポリマー鎖である）
を有することを特徴とする、請求項１に記載の方法。
【請求項３】
シロキサン含有ポリマー鎖Ａが、シロキサンポリマー鎖、シロキサンコポリマー鎖及びシロキサン／有機ブロックコポリマー鎖の群から選択されることを特徴とする、請求項２に記載の方法。
【請求項４】
用いられる前記触媒が、チタネート、キレート化チタネート、ジルコネート、キレート化ジルコネート及び有機スズ化合物から選択されることを特徴とする、請求項２に記載の方法。
【請求項５】
前記事前に形成されたポリマーが、一般式
Ｘ1−Ａ−Ｘ2
（式中、Ｘ1及びＸ2が独立して、少なくとも１つのＳｉ−Ｈ基を含有するシリル基から選択され、Ａが、シロキサンポリマー鎖、シロキサンコポリマー鎖及びシロキサン／有機ブロックコポリマー鎖の群から選択されるシロキサン含有ポリマー鎖である）を有し、前記鎖延長剤が、Ｘ1及びＸ2のＳｉ−Ｈ結合と反応性である不飽和置換基を１分子当たり２つ又は１つ含むことを特徴とする、請求項１に記載の方法。
【請求項６】
前記事前に形成されたポリマーが、一般式
Ｘ1−Ａ−Ｘ2
（式中、Ｘ1及びＸ2が独立して、少なくとも１つの不飽和置換基を含有するシリル基から選択され、Ａが、シロキサンポリマー鎖、シロキサンコポリマー鎖及びシロキサン／有機ブロックコポリマー鎖の群から選択される）を有し、前記鎖延長剤が、Ｘ1及びＸ2の不飽和置換基と反応性である２つのＳｉ−Ｈ結合を含むことを特徴とする、請求項１に記載の方法。
【請求項７】
各不飽和基がアルケニル基であり、前記触媒がヒドロシリル化触媒であることを特徴とする、請求項５に記載の方法。
【請求項８】
前記希釈材料が、１２〜２５個の炭素原子を含有する線状アルケン、１２〜２５個の炭素原子を含有する分枝状アルケン、線状（ｎ−パラフィン系）鉱油、分枝状（イソパラフィン系）鉱油、環状（ナフテン系）鉱油、及びこれらの混合物から成る群の１つ又は複数から選択されることを特徴とする、請求項１〜７のいずれか１項に記載の方法。
【請求項９】
前記希釈材料が、前記希釈鎖延長オルガノポリシロキサン含有ポリマーと少なくとも実質的に混和性である、請求項１〜８のいずれか１項に記載の方法。
【請求項１０】
請求項１〜９のいずれか１項に記載の方法によって得ることができる、希釈鎖延長オルガノポリシロキサン含有ポリマー。
【請求項１１】
請求項１〜９のいずれか１項に記載の方法に従って得ることができる希釈鎖延長オルガノポリシロキサン含有ポリマーを、前記希釈鎖延長オルガノポリシロキサン含有ポリマーと反応性である適切な架橋剤、適切な縮合触媒、及び任意で充填剤と混合する工程を含む、エラストマー体に硬化することができる湿分硬化性組成物を製造する方法。
【請求項１２】
前記架橋剤が、アシルオキシ基、ケトキシミノ基を含有する１つ又は複数のシラン又はシロキサンであり、前記触媒がスズ触媒であることを特徴とする、請求項１１に記載のエラストマー体に硬化することができる湿分硬化性組成物を製造する方法。
【請求項１３】
前記架橋剤が、アルコキシ基及びアルケニルオキシ基を含有する１つ又は複数のシラン又はシロキサンであり、前記触媒が、チタネート又はジルコネート、若しくはキレート化チタネート又はキレート化ジルコネートであることを特徴とする、請求項１１に記載のエラストマー体に硬化することができる湿分硬化性組成物を製造する方法。
【請求項１４】
前記湿分硬化性組成物が、高表面積ヒュームドシリカ、沈降シリカ及び炭酸カルシウム等の１つ又は複数の微細強化充填剤、並びに／又は破砕石英、珪藻土、硫酸バリウム、酸化鉄、二酸化チタン、カーボンブラック、タルクもしくはウォラストナイト等の増量充填剤をさらに含む、請求項１１に記載のエラストマー体に硬化することができる湿分硬化性組成物を製造する方法。
【請求項１５】
エラストマー体に硬化することができる湿分硬化性組成物であって、
ａ．請求項１〜９のいずれか１項に記載の方法に従って製造され、ケイ素に結合したヒドロキシル基又は加水分解性基を２つ以上有する希釈鎖延長オルガノポリシロキサン含有ポリマーと、
ｂ．該ポリマー中の該ヒドロキシル基又は該加水分解性基と反応可能である基を１分子当たり少なくとも２つ有するシロキサン及び／又はシラン架橋剤と、
ｃ．１つ又は複数の充填剤と、
ｄ．適切な硬化触媒と
を含む、エラストマー体に硬化することができる湿分硬化性組成物。
【請求項１６】
請求項１５に記載の湿分硬化性組成物を含む、塗装硬化シーラント。
【請求項１７】
７００％よりも大きい破断伸びを有する、請求項１５に記載の湿分硬化性組成物を含む硬化シーラント。
【請求項１８】
エラストマー体に硬化することができる湿分硬化性組成物であって、
該組成物は、請求項１〜９のいずれか１項に記載の方法に従って製造された希釈鎖延長オルガノポリシロキサン含有ポリマーを、該希釈鎖延長オルガノポリシロキサン含有ポリマーと反応性である適切な架橋剤、適切な縮合触媒、任意で充填剤と配合して、一液型又は二液型のオルガノポリシロキサンシーラント組成物を形成することによって得ることができる、エラストマー体に硬化することができる湿分硬化性組成物。
【請求項１９】
２つのユニット間の空間を密封する方法であって、請求項１５に記載の湿分硬化性組成物を該空間に適用すること、及び該組成物を硬化させる又は該組成物が硬化できるようにすることを含む、２つのユニット間の空間を密封する方法。
【請求項２０】
請求項１５に記載の湿分硬化性組成物を含むシーラント。
【請求項２１】
請求項１５に記載の湿分硬化性組成物から誘導されるシーラントを含むガラス構造体又は建物ユニット。
【請求項２２】
請求項１〜９のいずれか１項に記載の方法に従って調製される希釈鎖延長オルガノポリシロキサン含有ポリマーの、シーラントにおける増量ポリマーとしての使用。
【請求項２３】
請求項１〜９のいずれか１項に記載の方法に従って得ることができる希釈鎖延長オルガノポリシロキサン含有ポリマーを含む組成物であって、さらなる希釈剤が、２５℃において４〜１００ｍＰａ・ｓの粘度を有する揮発性又は不揮発性の低分子量オルガノポリシロキサン含有流体を含み、重合の完了後に該組成物に添加されることを特徴とする、組成物。
【請求項２４】
１つ又は複数の界面活性剤、洗剤、増粘剤、香料、着色剤、電解質、ｐＨ調節成分、発泡剤及び泡安定剤、抗菌剤、酸化防止剤、紫外線吸収剤及び薬剤染料、還元剤、中和剤、並びに防腐剤をさらに含む、請求項２３に記載の組成物。
【請求項２５】
医薬組成物、医療組成物及び／又は治療用組成物における請求項２３又は２４に記載の組成物の使用。
【請求項２６】
鎮痛剤、麻酔剤、抗座瘡剤、抗菌剤、抗酵母剤、抗真菌剤、抗ウイルス剤、ふけ防止剤、抗皮膚炎剤、鎮痒剤、制吐剤、乗り物酔い防止剤、抗炎症剤、抗過度角質溶解剤、乾燥皮膚防止剤、制汗剤、抗乾癬剤、抗脂漏剤、ヘアコンディショニング、ヘアトリートメント、老化防止剤、しわ防止剤、抗喘息剤、気管支拡張剤、日焼け止め、抗ヒスタミン剤、美白剤、脱色素剤、創傷治癒剤、ビタミン類、コルチコステロイド類、色素沈着剤又はホルモン類の用途の１つ又は複数のための医薬品、医療品及び／又は治療用品の製造における、請求項２３又は２４に記載の組成物の使用。
【請求項２７】
請求項２３又は２４に記載の組成物と、生理学的及び／又は医薬的に許容可能なキャリアとを含む医薬組成物。
【請求項２８】
軟膏、クリーム、ゲル、ペースト、フォーム、又はエアロゾルを含む局所適用のための請求項２６に記載の医薬組成物。
【請求項２９】
請求項２３又は２４に記載の組成物を含むヘアケア製品。
【請求項３０】
シリコーンゴム組成物を製造する方法であって、
任意で、アルケニル基、縮合性基、シリル−ヒドリド又はトリメチルシリル含有末端封鎖剤、及びシロキサンベースの希釈剤と共に、請求項１に記載の希釈鎖延長オルガノポリシロキサン含有ポリマーを調製する工程と、
得られる前記希釈オルガノポリシロキサンポリマーを、１つ又は複数の強化充填剤及び／又は非強化充填剤と、硬化剤と、任意で、１つ又は複数のレオロジー調整剤、顔料、着色剤、接着防止剤、接着促進剤、発泡剤、難燃剤及び乾燥剤の群から選択される添加剤と配合する工程と
を含む、シリコーンゴム組成物を製造する方法。
【請求項３１】
前記硬化剤が、過酸化ジアルキル、過酸化ジフェニル、過酸化ベンゾイル、過酸化１，４−ジクロロベンゾイル、過酸化２，４−ジクロロベンゾイル、過酸化ジ−ｔ−ブチル、ジクミルペルオキシド、過安息香酸第３級ブチル、過酸化モノクロロベンゾイル、過酸化ジ−ｔｅｒｔ−ブチル、２，５−ビス−（ｔｅｒｔ−ブチル−ペルオキシ）−２，５−ジメチルヘキサン、第３級ブチル−トリメチル過酸化物、第３級ブチル−第３級ブチル−第３級トリフェニル過酸化物、及び過安息香酸ｔ−ブチルの群から選択される１つ又は複数の有機過酸化物であることを特徴とする、請求項３０に記載のシリコーンゴム組成物を製造する方法。
【請求項３２】
前記ポリマーが不飽和基を含み、前記硬化剤が、オルガノハイドロジェンシロキサンと組み合わせたヒドロシリル化反応触媒であることを特徴とする、請求項３０に記載のシリコーンゴム組成物を製造する方法。
【請求項３３】
前記オルガノハイドロジェンシロキサンが１分子当たり４〜２０個のケイ素原子を含み、２５℃において１０Ｐａ・ｓまでの粘度を有することを特徴とする、請求項３０に記載のシリコーンゴム組成物を製造する方法。
【請求項３４】
前記ヒドロシリル化触媒が、白金、ロジウム、イリジウム、パラジウム又はルテニウム触媒から選択される白金族金属ベースの触媒であることを特徴とする、請求項３０に記載のシリコーンゴム組成物を製造する方法。
【誤訳訂正２】
【訂正対象書類名】明細書
【訂正対象項目名】００２７
【訂正方法】変更
【訂正の内容】
【００２７】
本発明によると、希釈鎖延長オルガノポリシロキサン含有ポリマーを製造する方法であって、
（ａ）シロキサンポリマー鎖、シロキサンコポリマー鎖、シロキサン／有機ブロックコポリマー鎖又はポリオキシアルキレンブロックを含む事前に形成したポリマーを、２５℃で１００〜１０００００ｍＰａ・ｓの粘度を有するトリアルキルシリル末端ポリジアルキルシロキサン（ここで、各アルキル基は同じでも異なっていてもよく、１〜６個の炭素原子を含む）、ポリイソブチレン（ＰＩＢ）、リン酸エステル、ポリアルキルベンゼン、線状アルキルベンゼン、分枝状アルキルベンゼン、脂肪族モノカルボン酸エステル、ジアルキルフタレート、アジピン酸エステル、アゼライン酸エステル、オレイン酸エステル、セバシン酸エステル、桐油、脂肪酸、脂肪酸エステル、ポリオール、ポリオール誘導体、有機リン酸塩、ヒマシ油、線状モノ不飽和炭化水素、分枝状モノ不飽和炭化水素及び鉱油留分からなる群の１つ又は複数から選択される希釈材料、適切な触媒及び任意で末端封鎖剤の存在下で該ポリマーの末端基と反応性である鎖延長剤と反応させる工程であって、この鎖延長剤が、
（ｉ）ジアセトアミドシラン、ジアセトキシシラン、ジクロロシラン、ジアミノシラン（各アミノ基は、１個の窒素につき１つ又は２つのＮ−Ｈ結合を有する）、ジアルコキシシラン、ジアミドシラン、ヘキサオルガノジシラザン、ジケトキシミノシラン、
（ｉｉ）２〜２５の重合度を有し、且つ１分子当たり少なくとも２つのアセトアミド、アセトキシ、アミノ、アルコキシ、アミド、又はケトキシモ置換基を有するポリジアルキルシロキサン、
（ｉｉｉ）α−アミノアルキルジアルコキシアルキルシラン（アルキル基及びアルコキシ基は１〜６個の炭素原子を含む）、
（ｉｖ）構造ＺＭｅ2ＳｉＯ（Ｍｅ2ＳｉＯ）yＳｉＭｅ2Ｚ又はＺＭｅ2Ｓｉ−Ｙ−ＳｉＭｅ2Ｚ（式中、Ｚは複素環式Ｓｉ−Ｎ基であり、Ｙは、−（ＣＲ2）m−又は−Ｃ6Ｈ4−から成る群より選択される二価の炭化水素ラジカルであり、ｙは０又は整数であり、ｍは２〜６（両端を含む）であり、またＲは一価の炭化水素基である）の化合物、
（ｖ）ジアルケニルシラン、ジヒドロシラン、
（ｖｉ）２〜２５の重合度、及び末端基１つにつき少なくとも１つのＳｉ−アルケニル結合を有するポリジアルキルシロキサン、
（ｖｉｉ）２〜２５の重合度、及び末端基１つにつき少なくとも１つのＳｉ−Ｈ結合を有するポリジアルキルシロキサン
の群から選択される、反応させる工程と、
（ｂ）必要であれば、重合プロセスを失活させる工程と
を含み、希釈材料が、得られる希釈オルガノポリシロキサン含有ポリマーのポリマーマトリックス中に含まれる、希釈鎖延長オルガノポリシロキサン含有ポリマーを製造する方法が提供される。
【誤訳訂正３】
【訂正対象書類名】明細書
【訂正対象項目名】００２８
【訂正方法】変更
【訂正の内容】
【００２８】
本発明によると、希釈鎖延長オルガノポリシロキサン含有ポリマーであって、
（ａ）シロキサンポリマー鎖、シロキサンコポリマー鎖、シロキサン／有機ブロックコポリマー鎖又はポリオキシアルキレンブロックを含む事前に形成したポリマーを、２５℃で１００〜１０００００ｍＰａ・ｓの粘度を有するトリアルキルシリル末端ポリジアルキルシロキサン（ここで、各アルキル基は同じでも異なっていてもよく、１〜６個の炭素原子を含む）、ポリイソブチレン（ＰＩＢ）、リン酸エステル、ポリアルキルベンゼン、線状アルキルベンゼン、分枝状アルキルベンゼン、脂肪族モノカルボン酸エステル、ジアルキルフタレート、アジピン酸エステル、アゼライン酸エステル、オレイン酸エステル、セバシン酸エステル、桐油、脂肪酸、脂肪酸エステル、ポリオール、ポリオール誘導体、有機リン酸塩、ヒマシ油、線状モノ不飽和炭化水素、分枝状モノ不飽和炭化水素及び鉱油留分からなる群の１つ又は複数から選択される希釈材料、適切な触媒及び任意で末端封鎖剤の存在下で該ポリマーの末端基と反応性である鎖延長剤と反応させる工程であって、この鎖延長剤が、
（ｉ）ジアセトアミドシラン、ジアセトキシシラン、ジアミノシラン（各アミノ基は、１個の窒素につき１つ又は２つのＮ−Ｈ結合を有する）、ジアルコキシシラン、ジアミドシラン、ヘキサオルガノジシラザン、ジケトキシミノシラン、
（ｉｉ）２〜２５の重合度を有し、且つ１分子当たり少なくとも２つのアセトアミド、アセトキシ、アミノ、アルコキシ、アミド、又はケトキシモ置換基を有するポリジアルキルシロキサン、
（ｉｉｉ）α−アミノアルキルジアルコキシアルキルシラン（アルキル基及びアルコキシ基は１〜６個の炭素原子を含む）、
（ｉｖ）構造ＺＭｅ2ＳｉＯ（Ｍｅ2ＳｉＯ）yＳｉＭｅ2Ｚ又はＺＭｅ2Ｓｉ−Ｙ−ＳｉＭｅ2Ｚ（式中、Ｚは複素環式Ｓｉ−Ｎ基であり、Ｙは、−（ＣＲ2）m−又は−Ｃ6Ｈ4−から成る群より選択される二価の炭化水素ラジカルであり、ｙは０又は整数であり、ｍは２〜６（両端を含む）であり、またＲは一価の炭化水素基である）の化合物、
（ｖ）ジアルケニルシラン、ジヒドロシラン、
（ｖｉ）２〜２５の重合度、及び末端基１つにつき少なくとも１つのＳｉ−アルケニル結合を有するポリジアルキルシロキサン、
（ｖｉｉ）２〜２５の重合度、及び末端基１つにつき少なくとも１つのＳｉ−Ｈ結合を有するポリジアルキルシロキサン
の群から選択される、反応させる工程と、
（ｂ）必要であれば、重合プロセスを失活させる工程と
を含む方法で得ることができ、希釈材料が、得られる希釈オルガノポリシロキサン含有ポリマーのポリマーマトリックス中に含まれる、希釈鎖延長オルガノポリシロキサン含有ポリマーが提供される。
【誤訳訂正４】
【訂正対象書類名】明細書
【訂正対象項目名】００３１
【訂正方法】変更
【訂正の内容】
【００３１】
本発明の一実施形態において、本発明で使用される予め形成したポリマー構成成分は、少なくとも２つの縮合性基を含有するポリシロキサン含有ポリマーであり、最も好ましくは、縮合性基は末端ヒドロキシル基又は加水分解性基を含む。好ましくは、ポリマーは、一般式
Ｘ1−Ａ−Ｘ2                    （１）
（式中、Ｘ1及びＸ2は、ヒドロキシル基又は加水分解性基を含むシリル基から独立して選択され、Ａはシロキサン含有ポリマー分子鎖又はコポリマー分子鎖又はシロキサン／有機ブロックコポリマー分子鎖である）を有する。ヒドロキシル置換基又は加水分解性置換基を組み込むＸ1又はＸ2基の例には、−ＳｉＯＨ3、−（Ｒa）ＳｉＯＨ2、−（Ｒa）2ＳｉＯＨ、−ＲaＳｉ（ＯＲb）2、−Ｓｉ（ＯＲb）3、−Ｒa2ＳｉＯＲb又は−Ｒa2Ｓｉ−Ｒc−ＳｉＲdp（ＯＲb）3-p（式中Ｒaはそれぞれ独立して一価のヒドロカルビル基、例えば特に１〜８個の炭素原子を有するアルキル基を表し（好ましくはメチルである）、Ｒbはそれぞれ独立してアルキル（ここで、アルキル基は適切には６個までの炭素原子を有する）であり、Ｒdはそれぞれ独立してアルコキシ基であり、Ｒcは、６個までのケイ素原子を有する１つ又は複数のシロキサンスペーサーで介在し得る二価の炭化水素基であり、ｐは０、１又は２の値を有する）が含まれる。
【誤訳訂正５】
【訂正対象書類名】明細書
【訂正対象項目名】００３５
【訂正方法】変更
【訂正の内容】
【００３５】
したがって、式（２）の単位を含有する好ましいポリシロキサンは、末端のケイ素と結合するヒドロキシル基又は上記でＸ1及びＸ2と定義したように水分を用いて加水分解することができる末端のケイ素と結合する有機ラジカルを有するポリジオルガノシロキサンである。構造（２）の構造単位を含むポリジオルガノシロキサンは、ホモポリマーでもコポリマーでもよい。末端の縮合性基を有する異なるポリジオルガノシロキサンの混合物も適切である。
【誤訳訂正６】
【訂正対象書類名】明細書
【訂正対象項目名】００４１
【訂正方法】変更
【訂正の内容】
【００４１】
末端封鎖剤を用いて、ポリマーの分子量を調節し且つ／又は官能性を付与してもよい。末端封鎖剤は、ポリマーの反応性／ポリマー鎖長を制御する手段であり、また、官能性を得られるポリマーに導入する手段である。適切な末端封鎖剤は、例えば、数平均分子量が１６０を超えるポリシロキサン、特に、ヒドロキシ、ビニル又は水素等の１つ又は複数の官能基を有するポリジメチルシロキサンである。末端封鎖剤を用いて導入される官能基としては、ポリマーの代替的な末端基、例えばケイ素と結合する水素基、アルケニル基、ヒドロキシル基等の加水分解性基、アルコキシ基及びアセトキシ基が挙げられる。末端封鎖剤及び必要であれば続いて起こる反応を用いて導入され得る加水分解性基としては、−ＲaＳｉ（ＯＲb）2、−Ｓｉ（ＯＲb）3、−Ｒa2ＳｉＯＲb、又は−Ｒa2Ｓｉ−Ｒc−ＳｉＲdp（ＯＲb）3-p（式中、Ｒa、Ｒb、Ｒd、Ｒc及びｐはそれぞれ上記の通りである）が挙げられる。水も末端封鎖剤として作用して、ヒドロキシ官能基を導入する。